(57)【要約】【課題】貯氷室に貯留されている氷塊を取出し易くし得る製氷機を提供する。【解決手段】ドレンパン６０の前端に、前側に向けて斜め上方に傾斜する傾斜壁部６７が接続される。傾斜壁部６７に、貯氷室の奥側に凹む陥凹部が形成される。傾斜壁部６７の陥凹部に、貯氷室内に貯留された氷塊の取出しに供されるバケット７４を着脱自在に保持するバケット保持部７３が設けられる。バケット保持部７３からバケット７４を取外すと傾斜壁部６７の下方への突出部分がなくなり、貯氷室の前面開口面積が広くなり、氷の取出し作業を行ない易くする効果が期待できる。【選択図】図８
2010014401.tif 000002
【特許請求の範囲】
【請求項１】
製氷機本体(31)内に画成した貯氷室(32)内に、氷塊を生成するための製氷機構(34)と、前記製氷機構(34)の下側に配設したドレンパン(60)とを有し、貯氷室(32)に貯留された氷塊を製氷機本体(31)の前面開口部(55)から取出し可能に構成された製氷機において、
前記ドレンパン(60)の前端に接続されて前側に向けて斜め上方に傾斜する傾斜壁部(67)における前記前面開口部(55)に臨む面に、前記貯氷室(32)内に貯留された氷塊の取出しに供されるバケット(74)を着脱自在に保持するバケット保持部(73)が設けられる
ことを特徴とする製氷機。
【請求項２】
前記傾斜壁部(67)には貯氷室(32)の奥側に凹む陥凹部が形成され、該陥凹部に前記バケット保持部(73)が設けられる請求項１記載の製氷機。
【発明の詳細な説明】
【技術分野】
【０００１】
本発明は、製氷機に関し、更に詳細には、製氷機本体の貯氷室内に配設した製氷機構の下側にドレンパンを有する製氷機に関するものである。
【背景技術】
【０００２】
例えば図９は、製氷室に設けられて下向きに開口する多数の製氷小室に製氷水を下方から噴射供給して、角氷(氷塊)を自動的に製造する噴射式の製氷機の概略構成を示す一部破断斜視図である。このタイプの製氷機１０は、略箱形をなす製氷機本体１１の内部を上下に区画して、上方空間を貯氷室１２とすると共に、下方空間を機械室１３としている。
【０００３】
製氷機本体１１の上部に取付部材１８が配設され、該取付部材１８に、製氷小室を多数形成した製氷室１５、水皿１６、水皿１６の下部に配設された製氷水タンク１７、製氷水タンク１７と共に水皿１６を傾動させる水皿傾動機構２８等から構成される製氷機構１４が、垂設されて貯氷室１２の内部上方に臨んでいる。この製氷機構１４は、給水管１９から製氷水タンク１７内に供給された製氷水を、送水ポンプ２０により水皿１６の噴射孔から製氷室１５の各製氷小室へ噴射することで、角氷(氷塊)を製氷するよう構成される。そして、製氷室１５で角氷が生成されたら、前記水皿傾動機構２８を駆動させて水皿１６を該製氷室１５から傾斜状態に開放させ、生成された角氷を貯氷室１２へ落下させると共に、水皿１６と共に前記製氷水タンク１７も傾動して製氷水を排出するようになっている。従って、製氷機構１４の下方には、製氷水タンク１７から排出された製氷水を受け入れて機外へ排出するドレンパン２１が配設されている。
【０００４】
一方、前記製氷機本体１１は、図９に示すように、製氷機１０を組立てる際に前記製氷機構１４等の設置を行ない易くするため、貯氷室１２の天面および前面に開口した箱体として形成されている。従って、製氷機本体１１の天面開口部２２には、該天面開口部２２を完全に覆蓋し得る矩形状のアッパーパネル２３が着脱可能に取付けられる。また、製氷機本体１１の前面開口部２４には、製氷機１０の前方へ開放可能な開閉ドア２５が配設されると共に、該前面開口部２４において前記製氷機構１４の前側部分(ドレンパン２１から上方部分)は、横長矩形状のフロントパネル２６が取付けられる。このフロントパネル２６は、開閉ドア２５が製氷機本体１１へ閉成されている状態では機外へ露出せず、該開閉ドア２５を製氷機本体１１から開放した際には、製氷機構１４が外部へ露出しないようにすると共に、製氷機構１４の近傍へ手が入るのを防止するよう機能する。このような構成の製氷機は、例えば特許文献１に開示されている。
【０００５】
また、貯氷室に貯留されている氷塊の取出しに供されるスコップを、不使用時に貯氷室に収納しておく製氷機として、例えば特許文献２が存在する。
【先行技術文献】
【特許文献】
【０００６】
【特許文献１】特開２００３−１２１０５４号公報
【特許文献２】実開昭６２−８０１６７号公報
【発明の概要】
【発明が解決しようとする課題】
【０００７】
特許文献２に開示の製氷機では、ドレンパンの底面に保持部が垂設され、該保持部にスコップが前側から着脱自在に収納されるようになっている。この構成では、スコップを保持部から取外して氷塊を取出す際においても、ドレンパンの底面から保持部が垂下して氷塊の取出口に臨んでいる。
【０００８】
本発明は、前述した従来の技術に内在している課題に鑑み、これを好適に解決するべく提案されたものであって、貯氷室に貯留されている氷塊を取出し易くし得る製氷機を提供することを目的とする。
【課題を解決するための手段】
【０００９】
前記課題を解決し、所期の目的を達成するため、請求項１に係る発明の製氷機は、
製氷機本体内に画成した貯氷室内に、氷塊を生成するための製氷機構と、前記製氷機構の下側に配設したドレンパンとを有し、貯氷室に貯留された氷塊を製氷機本体の前面開口部から取出し可能に構成された製氷機において、
前記ドレンパンの前端に接続されて前側に向けて斜め上方に傾斜する傾斜壁部における前記前面開口部に臨む面に、前記貯氷室内に貯留された氷塊の取出しに供されるバケットを着脱自在に保持するバケット保持部が設けられることを特徴とすることを要旨とする。
【００１０】
請求項１の発明によれば、バケットをバケット保持部から取外すと傾斜壁部の下方への突出部分がなくなるため、貯氷室の前面開口面積が広くなり、氷塊の取出し作業が行ない易くなる。
【００１１】
請求項２に係る発明では、前記傾斜壁部には貯氷室の奥側に凹む陥凹部が形成され、該陥凹部に前記バケット保持部が設けられることを要旨とする。
請求項２の発明によれば、傾斜壁部の陥凹部にバケット保持部を形成したので、貯氷室における貯氷量の増加が期待できる。
【発明の効果】
【００１２】
本発明に係る製氷機によれば、貯氷室に貯留されている氷塊を取出し易くし得る。
【図面の簡単な説明】
【００１３】
【図１】図４のＩ−Ｉ線で破断した前提例の製氷機の側断面図である。
【図２】ドレンパンおよびフロントインナーパネルを装着した貯氷室を、水皿が製氷室に対して閉成した状態で一部破断して示す正面図である。
【図３】(ａ)は、ドレンパンおよびフロントインナーパネルを一体的に形成した成形部材を前方から見た斜視図であり、(ｂ)は、該成形部材を後方から見た斜視図である。
【図４】前提例の製氷機を、フロントパネルを取外した状態で示す概略斜視図である。
【図５】フロントパネルを取付けたフロントインナーパネルの側断面図である。
【図６】(ａ)は、左サイドフレーム部材および右サイドフレーム部材を左右両側に配設した機械室を、一部破断した状態で示す背面図であり、(ｂ)は、右サイドフレーム部材に設けた段差部を示した部分斜視図である。
【図７】ドレンパンおよびフロントインナーパネルを設置した貯氷室を、水皿の傾動により製氷水タンク内の製氷水が該ドレンパンへ排出される状態で一部破断して示す正面図である。
【図８】(ａ)は、フロントインナーパネルに一体成形されるバケット保持部の実施例を示した概略斜視図であり、(ｂ)は、バケット保持部にバケットを保持させた状態で示したフロントインナーパネルの部分正面図である。
【図９】噴射式の製氷機の内部構成を示した一部破断斜視図である。
【発明を実施するための形態】
【００１４】
次に、本発明に係る製氷機につき、好適な実施例を挙げて、添付図面を参照しながら以下説明する。なお、説明の便宜上、図１における左側を製氷機の前側、図面右側を後側とする。また、本願発明に係る製氷機の実施例を説明する前に、該製氷機の基本的な構成を図１〜７に示す前提例を参照して説明する。
【実施例】
【００１５】
図４は、前提例の製氷機３０の外観を示す概略斜視図であり、図１は、図４のＩ−Ｉ線で破断した製氷機３０の側断面図である。前提例の製氷機３０は、箱形をなす製氷機本体３１の内部を上下に区画して、該製氷機本体３１の内部上方を貯氷室３２とすると共に、該製氷機本体３１の内部下方を機械室３３としている。そして、貯氷室３２の内部上方に製氷機構３４が配設され、製氷機構３４で生成された角氷は、落下して貯氷室３２の底部に貯留されるようになっている。また機械室３３には、冷凍装置を構成する凝縮器３５、冷却ファンモータ３６、圧縮機３７等の部品が配設され、該冷凍装置に接続する蒸発管３８が製氷機構３４の製氷室１５に配設されている。なお製氷機構３４は、図９に示した従来の製氷機構１４と基本的な構成の変更はないので、同一の構成部品は同一の符号を付し、詳細な説明は省略する。
【００１６】
前記製氷機本体３１における機械室３３は、図１および図６に示すように、本体左側に配設される左サイドフレーム部材４０と本体右側に配設される右サイドフレーム部材４１とを、前側の上下および後側の上下に配設した４本の横フレーム部材４２で連結することで箱枠状に構成されている。そして、機械室３３の上部には、貯氷室３２のベースとなるステンレス製の中板４３が、前記左サイドフレーム部材４０および右サイドフレーム部材４１と、上部前後の横フレーム部材４２,４２との上に固定されている。また、機械室３３の底部には、前記凝縮器３５、冷却ファンモータ３６、圧縮機３７およびその他の付属機器、部品等を載置固定するためのベース板４４が配設されている。
【００１７】
前記左サイドフレーム部材４０および右サイドフレーム部材４１は、例えばポリエチレン(ＰＥ)やポリプロピレン(ＰＰ)等の合成樹脂材料からインジェクション成形技術により成形された一体成形部品であって、前縦杆部４０Ａ,４１Ａ、後縦杆部４０Ｂ,４１Ｂ、上横杆部４０Ｃ,４１Ｃおよび下横杆部４０Ｄ,４１Ｄからなる矩形枠体状に構成されている。そして、両サイドフレーム部材４０,４１は、内側の適宜箇所に複数のリブ４５が一体的に形成されていて、軽量に構成されながらも、製氷機３０に要求される所要の強度が確保されている。すなわち、図９に示した従来の製氷機１０においては、スチール製の４本のフレーム部材で枠状に構成していた機械室の両サイド部分が、前提例の製氷機３０においては、矩形枠体状を呈した合成樹脂成形部品である左サイドフレーム部材４０および右サイドフレーム部材４１から構成されている。
【００１８】
また、左サイドフレーム部材４０には、図６(ａ)に示すように、外部給水管を連結するための給水管連結部４６と、外部排水管を連結するための排水管連結部４７とが、後縦杆部４０Ｂの後端縁に一体的に形成されている。更に、左サイドフレーム部材４０には、冷媒配管や電気配線等を通すための陥凹部４８が、上横杆部４０Ｃの後端部に一体的に形成されている。また、左サイドフレーム部材４０および右サイドフレーム部材４１の後縦杆部４１Ｂ,４１Ｂには、図６(ｂ)に示すように、アウターパネル５０の折返し部５０Ａが整合する段差部４９が形成されており、該折返し部５０Ａが後側へ突出しないようになっている(図６(ｂ)では、右サイドフレーム部材４１のみ図示)。なお、排水管連結部４７は、図１に示すように、機械室３３の内側へ突出した形状に形成されており、後述するドレンパン２１に連結される排水配管６２の短縮化を図り得るよう考慮されている。
【００１９】
一方、貯氷室３２が画成される製氷機本体３１の上側部分は、図１および図４に示すように、該貯氷室３２の天面および前面に開口した箱体として形成されており、前記機械室３３の外側までを被覆するアウターパネル５０と、貯氷室３２の内壁面となるインナーパネル５１との二重構造となっており、これらアウターパネル５０とインナーパネル５１との間に断熱部材５２が介在されている。製氷機本体３１の天面開口部５３には、該天面開口部５３を完全に覆蓋し得る矩形状のアッパーパネル５４が着脱可能に取付けられている。また、製氷機本体３１の前面開口部５５には、製氷機３０の前方へ開放可能な開閉ドア５６が、図示しないヒンジ部材を介して製氷機本体３１に枢支されている。
【００２０】
前記貯氷室３２の上下方向における略中間部位、すなわち前記製氷機構３４の下側には、前記製氷水タンク１７から排出された製氷水を受け入れると共に機外へ排出案内するドレンパン６０が設けられている。前提例のドレンパン６０は、図１および図２に示すように、横幅寸法Ｌ２が前面開口部５５の横幅寸法Ｗの約２／３、奥行寸法が貯氷室３２の奥行寸法と略同一となるサイズに形成されたトレー状部材であって、前記排水配管６２に接続される排水口６１が底面略中央に形成されている。このようなドレンパン６０は、製氷機構３４で生成された角氷の放出空間を確保するため、貯氷室３２の正面左側に偏って位置するように配設されている。
【００２１】
そして前提例のドレンパン６０は、図１〜図４に示すように、前面開口部５５に臨む前側部分に、上方へ延出して前記製氷機構３４の前側に臨み、前記貯氷室３２の前面開口部５５に整合するフロントインナーパネル６５を設け、該フロントインナーパネル６５と一体化された成形部材として構成されている。すなわち、ドレンパン６０およびフロントインナーパネル６５は、ポリエチレン(ＰＥ)やポリプロピレン(ＰＰ)等の合成樹脂材料から公知のインジェクション成形技術により成形されたもので、製氷機構３４の下側部分から前側部分に亘って延在する単一の大型成形部材となっている。
【００２２】
ドレンパン６０と一体的に形成されたフロントインナーパネル６５は、図３および図４に示すように、製氷機本体３１の前面開口部５５に整合して略垂直となる前壁部６６と、この前壁部６６から貯氷室３２内に向けて斜め後方へ傾斜してドレンパン６０に連設される傾斜壁部６７と、これら前壁部６６と傾斜壁部６７の左右両側端から後方側へ延在する左側壁部６８および右側壁部６９とを有している。そして、前壁部６６の前面には、１０〜２０ｍｍ程度の突出高さに突出されたリブ７０が、上下方向および左右方向へ格子状に形成されている。また、傾斜壁部６７の右側部分の裏側には、ドレンパン６０に向けて緩やかに傾斜した案内樋部７１が形成されている。
【００２３】
前記フロントインナーパネル６５の横幅寸法Ｌ３は、図２に示すように、前記前面開口部５５の横幅寸法Ｗと同一に設定されており、ドレンパン６０を貯氷室３２内へ装着した際には、左側壁部６８および右側壁部６９が、インナーパネル５１の左右内壁面に密着するようになっている。なおドレンパン６０は、製氷機本体３１の前面開口部５５から貯氷室３２内へ水平に押し込んで該製氷機本体３１にセットされ、図示省略した掛止部やビス等によりインナーパネル５１に装着され、貯氷室３２内で安定的に固定されるようになっている。
【００２４】
また、前記フロントインナーパネル６５には、図２に示すように、左右略中央の上方部分に、リブ７０の間に位置するように開口部７２が形成されている。この開口部７２は、製氷機構３４を構成する水皿１６が製氷室１５に対して閉成した水平状態において、製氷水タンク１７の前面に設けられている薬品投入口２７に臨む部位に形成されている。すなわち開口部７２は、製氷水タンク１７の薬品投入口２７へ、製氷機構３４の洗浄に供される薬品(洗浄剤)を投入する際の薬品投入用に使用される。従って製氷機構３４の洗浄作業に際しては、ドレンパン６０およびフロントインナーパネル６５を取外すことなく、製氷水タンク１７へ前記薬品を投入し得るようになっている。
【００２５】
更に、前記フロントインナーパネル６５の下部には、図１〜図４に示すように、枠状の保持部７３が、前面開口部５５に臨むように設けられている。この保持部７３は、前記貯氷室３２内に貯留された氷塊の取出しに供されるバケット７４を掛止保持するためのものであり、ドレンパン６０およびフロントインナーパネル６５を成形するに際して、該フロントインナーパネル６５に一体的に形成されたものである。
【００２６】
更に、前提例の製氷機３０では、図４に示すように、ステンレス製のフロントパネル７５が、前記フロントインナーパネル６５の前壁部６６を被覆した状態で製氷機本体３１の前面開口部５５に装着される。このフロントパネル７５は、製氷機３０の外観の質感向上を図り、製氷機本体３１に対して閉成した開閉ドア５６を磁力吸着させると共に、フロントインナーパネル６５を保持するために供され、ビス７６を挿通させる取付片７５Ａ,７５Ａを左端縁および右端縁に有すると共に、前壁部６６の前面に横方向へ延在するよう設けられた嵌合溝６６Ａ,６６Ａに嵌合する嵌合片７５Ｂ,７５Ｂを上端縁および下端縁に有している。そして、製氷機本体３１にフロントパネル７５を取付けた際には、図５に示すように、各嵌合片７５Ｂが対応の嵌合溝６６Ａに嵌合すると共に、前記リブ７０の先端に該フロントパネル７５が密着するようになり、これらフロントパネル７５とフロントインナーパネル６５との間に断熱空間として機能する空間７７が画成されるようになっている。
【００２７】
なお前記フロントパネル７５には、図４および図５に示すように、フロントインナーパネル６５の前記開口部７２に整合するパネル開口部７８が形成されていると共に、この開口部７２を開放可能に閉成するスライド式のシャッター部材７９が配設されている。このシャッター部材７９は、常には前記パネル開口部７８を閉成した状態に保持され、製氷機構３４の洗浄作業の際には、横方向へスライドさせてパネル開口部７８を開放させ、前記開口部７２を介して製氷水タンク１７の薬品投入口２７への薬品の投入を許容するようになっている。
【００２８】
(前提例の作用)
次に、前述のように構成された前提例の製氷機の作用について説明する。製氷機構３４が製氷運転されている状態では、図２に示すように、水皿１６が製氷室１５に対して閉成して水平状態となっているため、製氷水タンク１７には製氷水が貯留されている。
【００２９】
そして、製氷室１５内へ噴射供給した製氷水により角氷(氷塊)の生成が完了したら、図１および図７に示すように、水皿傾動機構２８を駆動させて水皿１６を製氷室１５から開放させると、角氷が貯氷室３２の底部へ落下放出される。また、水皿１６の傾動と共に製氷水タンク１７が排水位置へ姿勢変位するので、該製氷水タンク１７の内部に貯留されていた製氷水は、タンク底部に設けられたタンク排水口からドレンパン６０に向けて排出される。そして、角氷の放出および製氷水の排出が完了したら、水皿傾動機構２８を駆動させて水皿１６を製氷室１５に対して閉成させると共に、製氷水タンク１７を貯水位置へ移動させ、次の製氷作業が再開される。
【００３０】
なお、製氷機本体３１の前面開口部５５にフロントパネル７５が装着されているので、該フロントパネル７５とフロントインナーパネル６５との間に空間７７が画成され、該空間７７内に存在する空気が断熱層として機能する。従って前提例の製氷機３０は、フロントインナーパネル６５の裏側(製氷機構３４が配設される貯氷室３２の内部)と、該フロントインナーパネル６５の表側(外部)との温度差が大きい場合でも、フロントインナーパネル６５の裏面は結露し難くなっている。
【００３１】
またフロントインナーパネル６５は、合成樹脂製の所要厚みの成形部材であるから、該フロントインナーパネル６５自体も断熱部材として機能する。すなわち、製氷機本体３１の前面側に、断熱部材として機能するフロントインナーパネル６５が配設されていることから、該製氷機本体３１の前面側の断熱性能が好適に向上している。従って、製氷機構３４とフロントパネル７５との間に配設されたフロントインナーパネル６５による断熱効果により、該フロントパネル７５の前面での結露も好適に抑制できる。
【００３２】
但し、製氷機構３４による製氷工程が進行する過程において、開閉ドア５６の開閉を頻繁に行なった場合等では、フロントインナーパネル６５の製氷機構３４に臨む裏面、すなわち前壁部６６の裏面や傾斜壁部６７の裏面で結露することもあり得る。そして、フロントインナーパネル６５の裏面で結露した場合には、図３(ｂ)に示すように、ドレンパン６０が直接的に臨む正面左側の裏面(図３(ａ)における左側)で発生した結露水は、前壁部６６の裏面から傾斜壁部６７の裏面に沿って流下した後、ドレンパン６０へ直接的に回収される。一方、ドレンパン６０が直接的に臨まない正面右側の裏面(図３(ａ)における右側)で発生した結露水は、図３(ｂ)に示すように、案内樋部７１に一旦流下した後、該案内樋部７１に沿ってドレンパン６０側へ移動して該ドレンパン６０に回収される。すなわち前提例の製氷機３０では、フロントインナーパネル６５の裏側で発生した結露水の全てが、ドレンパン６０に回収されて機外へ排出されるようになり、貯氷室３２の底部へ滴下しない。更に、送水ポンプ２０や給水バルブ等の表面に発生した結露水は、傾斜壁部６７の裏側に滴下するようになり、該傾斜壁部６７の裏面に沿って流下した後、ドレンパン６０へ回収される。
【００３３】
また、製氷機構３４の洗浄作業に際しては、フロントパネル７５のシャッター部材７９をスライドさせてパネル開口部７８を開放させることで、該パネル開口部７８およびフロントインナーパネル６５に形成した開口部７２を介して、製氷水タンク１７の薬品投入口２７へ所定の薬品を簡単に投入することができる。すなわち、製氷機構３４の洗浄作業に際して、フロントパネル７５と、ドレンパン６０およびフロントインナーパネル６５を、製氷機本体３１から取外す必要がない。なお、製氷機構３４のメンテナンスを行なう場合は、フロントパネル７５と、ドレンパン６０およびフロントインナーパネル６５を製氷機本体３１から取外すことで、メンテナンス作業を行なうことが可能である。但し、フロントパネル７５は２本のビス７６を取外すだけで製氷機本体３１から取外し得ると共に、フロントインナーパネル６５およびドレンパン６０は、数本のビスを外すことで製氷機本体３１から一体的に取外すことができる。
【００３４】
また、前提例の製氷機３０は、製氷機本体３１の下部両側に、機械室３３を構成する合成樹脂製の左サイドフレーム部材４０および右サイドフレーム部材４１を配設したので、製氷機本体３１全体の軽量化および強度向上が図られている。そして、角氷が融解して発生した水や製氷水が、製氷機本体３１を構成する部材の隙間から流れ込んで機械室３３へ到達したとしても、合成樹脂製の前記左サイドフレーム部材４０および右サイドフレーム部材４１が錆ることがないから、製氷機本体３１の剛性を長期に亘って維持することができる。
【００３５】
従って、前提例の製氷機によれば、上方へ延出して製氷機構３４の前側に臨み、貯氷室３２の前面開口部５５に整合するフロントインナーパネル６５を、ドレンパン６０の前側に一体的に形成したので、フロントインナーパネル６５の裏側で発生した結露水は、全てが前記ドレンパン６０へ確実に案内された後に機外へ排出され、該結露水が貯氷室３２内へ滴下して凍結したり、製氷機本体３１の隙間へ入り込むことを好適に防止し得る。しかも、フロントインナーパネル６５の横幅寸法Ｌ３が、製氷機本体３１の前面開口部５５の横幅寸法Ｗと同一に設定されているので、製氷機構３４を適切に覆蓋できる。また、ドレンパン６０およびフロントインナーパネル６５が一体成形部材であるから、製氷機本体３１の貯氷室３２内へ設置した際には、補強部材としての機能も期待できる。そして、フロントインナーパネル６５はドレンパン６０と一体的に形成されるため、該フロントインナーパネル６５を設けることによる部品点数の増加はなく、また製氷機本体３１に対する組付工数も増加しないから、製氷機３０の製造コストが増加することはない。
【００３６】
また、フロントインナーパネル６５に、製氷水タンク１７の薬品投入口２７に臨む開口部７２を設けたことにより、ドレンパン６０および該フロントインナーパネル６５を製氷機本体３１から取外すことなく、開口部７２を介して製氷水タンク１７内へ薬品を投入することができ、製氷機構３４の洗浄作業を簡単かつ効率的に行なうことができる。
【００３７】
更に、製氷機本体３１の前側にフロントパネル７５を装着することにより、該フロントパネル７５とフロントインナーパネル６５との間に空間７７から画成されるから、該フロントインナーパネル６５の裏面で結露し難くなり、結露水の発生を抑えることができる。また、フロントパネル７５にパネル開口部７８を設けたので、製氷機構３４の洗浄作業に際して、該フロントパネル７５を製氷機本体３１から取外す必要がなく、製氷機構３４の洗浄作業を簡単かつ効率的に行なうことができる。
【００３８】
更にまた、製氷機本体３１の下部に、機械室３３を画成する左サイドフレーム部材４０および右サイドフレーム部材４１を、軽量で剛性のある合成樹脂製としたことにより、製氷機３０の軽量化が期待できると共に、結露水や製氷水等が入り込んでも錆を誘発することがないので、長期に亘って剛性を維持することができる。
【００３９】
図８は、フロントインナーパネル６５に一体成形されるバケット保持部７３の実施例を示している。この実施例に係るバケット保持部７３は、図８(ａ)に示すように、フロントインナーパネル６５の傾斜壁部６７における正面右側に形成された陥凹部に、左右方向に所要間隔離間して形成された２枚の保持板８０,８０から構成されており、図８(ｂ)に示すように、バケット７４を前側から抜き差しし得ると共に垂下状態で掛止保持させ得るようになっている。各保持板８０,８０は、上下方向の略中央部に段差部８０Ａ,８０Ａが形成されており、両保持板８０,８０間は、段差部８０Ａ,８０Ａの下方側が狭く設定されると共に、該段差部８０Ａ,８０Ａの上方側が広く設定されている。すなわち、バケット７４における柄７４Ａの先端に形成した先端拡幅部を、両保持板８０,８０の上方側の拡幅部分に整合させて押し込むことで、該バケット７４をバケット保持部７３に垂下状態で掛止保持させ得る。実施例のような形態のバケット保持部７３とした場合には、バケット７４を取外すとフロントインナーパネル６５の下方への突出部分がなくなるため、開閉ドア５６を開けた際の貯氷室３２の前面開口面積が広くなり、氷の取出し作業を行ない易くする効果が期待できる。また、フロントインナーパネル６５の前側の陥凹部にバケット保持部７３が形成されると共に、貯氷室３２の奥側へ延出しない姿勢でバケット７４を保持できるので、該貯氷室３２における貯氷量の増加が期待できる。
【００４０】
前記前提例では、製氷機本体３１の前面開口部５５にフロントパネル７５を設けた構成を例示したが、フロントインナーパネル６５が外部へ露出しても問題ない場合や、閉成された開閉ドア５６の保持に支障を来たさない場合には、該フロントパネル７５を省略することもできる。
また、フロントパネル７５は、フロントインナーパネル６５の前壁部６６と同一の形状、サイズに形成して、該フロントインナーパネル６５へ直接装着するようにしてもよい。  更に、フロントパネル７５を、製氷機本体３１からワンタッチで着脱し得る場合には、前記パネル開口部７８を省略してもよい。
更にまた、フロントパネル７５を装着しない場合は、フロントインナーパネル６５に形成した開口部７２に、該開口部７２を開閉可能なシャッター部材を追加するようにしてもよい。
【符号の説明】
【００４１】
３１ 製氷機本体，３２ 貯氷室，３４ 製氷機構，５５ 前面開口部
６０ ドレンパン，６７ 傾斜壁部，７３ バケット保持部，７４ バケット
【図１】
2010014401.tif 000003
【図２】
2010014401.tif 000004
【図３】
2010014401.tif 000005
【図４】
2010014401.tif 000006
【図５】
2010014401.tif 000007
【図６】
2010014401.tif 000008
【図７】
2010014401.tif 000009
【図８】
2010014401.tif 000010
【図９】
2010014401.tif 000011